(57)【要約】【課題】  マスク本体が上方にずれるのを抑制でき、しかも外れるのを防止することができる防顔面を提供する。【解決手段】  逮捕術防具における防顔面１であり、視認可能に顔面を覆うマスク本体２と、上記マスク本体２の上部に一端が取付けられた頭部上部を通る上部紐部材３と、上記マスク本体２の左右に両端が取付けられた頭部後方を通る後方紐部材４とが、頭部後方で連結された頭部取付け部材５と、上記マスク本体２の左右に両端が連結された顎掛け紐部材６とを具備する。【選択図】      図２
0003111813.tif 000002
【実用新案登録請求の範囲】
【請求項１】
逮捕術防具における防顔面において、
視認可能に顔面を覆うマスク本体と、
上記マスク本体の上部に一端が取付けられた頭部上部を通る上部紐部材の他端と、上記マスク本体の左右に両端が取付けられた頭部後方を通る後方紐部材の途中部分とが、頭部後方で連結された頭部取付け部材と、
上記マスク本体の左右に両端が連結された顎掛け紐部材とを具備することを特徴とする防顔面。
【請求項２】
請求項１に記載の防顔面において、
前記後方紐部材が、上下２本の紐を有し、各紐の左右両端それぞれが前記マスク本体に各別に形成された取付孔に各取付孔を挿通させて折り返すことにより対向部分を形成し、その対向する両側内面に設けた第１の面ファスナーの係止部と被係止部とを係止させることでマスク本体に連結されていることを特徴とする防顔面。
【請求項３】
請求項２に記載の防顔面において、
前記２本の紐における下側の紐の左右両端のうちの少なくとも一方には、取付孔から折り返された端部の外側に第２の面ファスナーの係止部及び被係止部の一方が取付けられ、
前記顎掛け紐部材における左右両端のうち上記第２の面ファスナーが設けられた側は、上記取付孔と同じ取付孔を通って折り返されて、上記第２の面ファスナーの係止部及び被係止部の一方と対向し、その対向内面に上記第２の面ファスナーの係止部及び被係止部の他方が取付けられ、これら一方と他方とを係止させることでマスク本体に連結されていることを特徴とする防顔面。
【請求項４】
請求項３に記載の防顔面において、
前記２本の紐及び前記顎掛け紐部材の各両端は、マスク本体の内側から外側へ向けて取付孔に挿入され、マスク本体の外側に折り返し部分を有することを特徴とする防顔面。
【請求項５】
請求項１乃至４のいずれかに記載の防顔面において、
前記顎掛け紐部材には、その紐部材に沿って移動可能な保護部材が設けられていることを特徴とする防顔面。
【考案の詳細な説明】
【技術分野】
【０００１】
本考案は、逮捕術防具における防顔面に関するものである。
【背景技術】
【０００２】
上述した防顔面としては、視認可能に顔面を覆うマスク本体を有し、そのマスク本体の左右に頭部後方を左右方向に通る後方紐部材の両端が取付けられ、頭部上部を通る上部紐部材の一端が上記マスク本体の上部に取付けられ、かつ上部紐部材の他端が、後方紐部材に対し頭部後方で連結された構成のものが知られている（非特許文献１参照）。
【非特許文献１】早川繊維工業株式会社発行の「ＢＵＤＯ  ＣＡＴＡＬＯＧ  ２００５」のＰ１０４
【考案の開示】
【考案が解決しようとする課題】
【０００３】
ところで、上述した防顔面においては、頭部上部を通る上部紐部材と頭部後方を左右方向に通る後方紐部材とで頭部に取付けられる構成であるため、マスク本体の顎部に相当する箇所に上向きの力が作用すると、マスク本体が上方にずれ、最悪の場合には頭部から外れる虞があった。
【０００４】
本考案は、このような従来技術の課題を解決するためになされたものであり、マスク本体が上方にずれるのを抑制でき、しかも外れるのを防止することができる防顔面を提供することを目的とする。
【課題を解決するための手段】
【０００５】
請求項１の発明に係る防顔面は、逮捕術防具における防顔面において、視認可能に顔面を覆うマスク本体と、上記マスク本体の上部に一端が取付けられた頭部上部を通る上部紐部材の他端と、上記マスク本体の左右に両端が取付けられた頭部後方を通る後方紐部材の途中部分とが、頭部後方で連結された頭部取付け部材と、上記マスク本体の左右に両端が連結された顎掛け紐部材とを具備することを特徴とする。
【０００６】
請求項２の発明に係る防顔面は、請求項１に記載の防顔面において、前記後方紐部材が、上下２本の紐を有し、各紐の左右両端それぞれが前記マスク本体に各別に形成された取付孔に各取付孔を挿通させて折り返すことにより対向部分を形成し、その対向する両側内面に設けた第１の面ファスナーの係止部と被係止部とを係止させることでマスク本体に連結されていることを特徴とする。
【０００７】
請求項３の発明に係る防顔面は、請求項２に記載の防顔面において、前記２本の紐における下側の紐の左右両端のうちの少なくとも一方には、取付孔から折り返された端部の外側に第２の面ファスナーの係止部及び被係止部の一方が取付けられ、前記顎掛け紐部材における左右両端のうち上記第２の面ファスナーが設けられた側は、上記取付孔と同じ取付孔を通って折り返されて、上記第２の面ファスナーの係止部及び被係止部の一方と対向し、その対向内面に上記第２の面ファスナーの係止部及び被係止部の他方が取付けられ、これら一方と他方とを係止させることでマスク本体に連結されていることを特徴とする。
【０００８】
請求項４の発明に係る防顔面は、請求項３に記載の防顔面において、前記２本の紐及び前記顎掛け紐部材の各両端は、マスク本体の内側から外側へ向けて取付孔に挿入され、マスク本体の外側に折り返し部分を有することを特徴とする。
【０００９】
請求項５の発明に係る防顔面は、請求項１乃至４のいずれかに記載の防顔面において、前記顎掛け紐部材には、その紐部材に沿って移動可能な保護部材が設けられていることを特徴とする。
【考案の効果】
【００１０】
本考案による場合には、マスク本体の左右に両端が連結された顎掛け紐部材を具備するので、それを顎の下側に掛けておくことで、マスク本体の顎部に相当する箇所に上向きの力が作用しても、マスク本体が上方にずれるのを抑制でき、しかも頭部から外れるのを防止することができる。
【００１１】
請求項３の考案による場合には、第１又は第２の面ファスナーの係止状態を解くと、顎掛け紐部材を緩めることができ、係止状態にすることで締めることができる。更に、防顔面を頭部に被るとき、下側の紐における第２の面ファスナーが設けられた側の第１の面ファスナーの係止状態を解くと、後方紐部材の下側の紐と前記顎掛け紐部材とが一緒に緩められ、被り易くすることができ、更に、被った後、前記第１の面ファスナーを係止すると後方紐部材の下側の紐と前記顎掛け紐部材とが一緒に締まり、締め易くすることができる。なお、顎掛け紐部材の両側を上記と同様な構成とすることで、左きき右ききの人に拘わらず対応できる。
【００１２】
請求項４の考案による場合には、マスク本体の外側に折り返しによる凸部が形成されるので、防顔面を被ってもその凸部が顔周辺に触れず、不快感を与えないようにすることができる。
【００１３】
請求項５の考案による場合には、保護部材が顎を外力から保護することができ、しかも保護部材を移動させるにより万人の顎に対して位置合わせさせ得る。
【考案を実施するための最良の形態】
【００１４】
以下に、本考案を具体的に説明する。
【００１５】
図１は本実施形態に係る防顔面を斜め前方から見た斜視図であり、図２はその防顔面を斜め後方から見た斜視図である。なお、図２においては、右耳保護部材及び左耳保護部材を省略して表している。
【００１６】
この防顔面１は、視認可能に顔面を覆うマスク本体２と、マスク本体２を頭部に取付けるための頭部取付け部材５と、マスク本体２の左右に両端が連結された顎掛け紐部材６とを具備する。
【００１７】
マスク本体２は、例えば合成樹脂製のもので、人間の顔面に対応する形状に形成されていて、目と鼻に相当する箇所に開口２ａ、２ｂが設けられている。また、マスク本体２の上部と左右の上下との５箇所に取付孔２ｃ、２ｄ、２ｅ、２ｆ、２ｇが形成されている。取付孔２ｃは上部に、取付孔２ｄは左上部に、取付孔２ｅは左下部に、取付孔２ｆは右上部に、取付孔２ｇは右下部に形成されたものである。また、マスク本体２の背面には、目の位置に相当する箇所の開口２ａの上側、鼻の位置に相当する箇所の開口２ｂの下側には、例えば軟質のパッド２ｈ、２ｉが貼着されている。なお、左側とはマスク本体２の背面側から見た状態で左側の方向を言い、右側とはマスク本体２の背面側から見た状態で右側の方向を言う。以下同様である。
【００１８】
上記頭部取付け部材５は、マスク本体２の上部に一端が取付けられた頭部上部を通る上部紐部材３と、マスク本体２の左右に両端が取付けられた頭部後方を通る後方紐部材４とが、頭部後方で連結された構成となっている。後方紐部材４は、本実施形態では上下２本の紐４ａ、４ｂを有し、上側の紐４ａの両端は上側の取付孔２ｄと取付孔２ｆに連結され、下側の紐４ｂの両端は下側の取付孔２ｅと取付孔２ｇに連結されている。
【００１９】
上側の紐４ａの両側はそれぞれ、マスク本体２の背面側の内側から外側へ向けて取付孔２ｄと２ｆに通され、通り抜けた部分を後側に折り返して紐４ａの途中部分と対向するように重ね、相互に対向する部分の内面両側に設けた面ファスナー（第１の面ファスナー）１０の係止部と被係止部とを係止させることで、マスク本体２に連結されている。下側の紐４ｂの両側も同様に、マスク本体２の背面側の内側から外側へ向けて取付孔２ｅと２ｇに通され、通り抜けた部分を後側に折り返して紐４ｂの途中部分と対向するように重ね、相互に対向する部分の内面両側に設けた面ファスナー（第１の面ファスナー）１１の係止部と被係止部とを係止させることで、マスク本体２に連結されている。なお、図３は、下側の紐４ｂの左側の取付け状態を示す平面図であり、下側の紐４ｂの右側は図３とは左右対称の取付け状態となっている。また、上側の紐４ａの両側も、下側の紐４ｂと同様にしてマスク本体２に連結されている。
【００２０】
更に、下側の紐４ｂは、右下側の取付孔２ｇから外側に突出させて折り返した端部の外面に面ファスナー（第２の面ファスナー）１２の係止部及び被係止部の一方が取付けられ、左下側の取付孔２ｅから外側に突出させて折り返した端部の外面に面ファスナー（第２の面ファスナー）１３の係止部及び被係止部の一方が取付けられている。
【００２１】
上側の紐４ａと下側の紐４ｂには、これらを一定距離に保持する頭部後方保護部材２０と右耳保護部材２１と左耳保護部材２２とが取付けられている。頭部後方保護部材２０は、例えば２枚の山形状シート２０ａを縫製したもので、両シート２０ａの間に上側の紐４ａの途中を通した状態で上側の紐４ａが縫製により固定されている。一方、下側の紐４ｂは、外側のシート２０ａの左右２箇所に設けた通し孔２０ｂを通されていて、頭部後方保護部材２０の下部が若干左右に移動できるようになっている。
【００２２】
右耳保護部材２１は、図４に示すように、右耳の全体を覆うように形成されていて、右耳が入る凹部２１ｂが形成された、例えば合成樹脂製の軟質のパッド２１ａを有し、内側の凹部２１ｂを挟んで上下に設けられた紐挿通部２１ｃ、２１ｄに紐４ａ、４ｂを通して取付けられている。また、凹部２１ｂを除く全体が、例えば合成皮革にて覆われており、凹部２１ｂには内外方向に聴音用の貫通孔２１ｅが形成されている。
【００２３】
左耳保護部材２２も同様に構成されている。即ち、左耳の全体を覆うように形成されていて、左耳が入る凹部２２ｂが形成された、例えば合成樹脂製の軟質のパッド２２ａを有し、内側の凹部２２ｂを挟んで上下に設けられた紐挿通部２２ｃ、２２ｄに紐４ａ、４ｂを通して取付けられている。また、凹部２２ｂを除く全体が、例えば合成皮革にて覆われており、凹部２２ｂには内外方向に聴音用の貫通孔２２ｅが形成されている。
【００２４】
マスク本体２の上部に形成した取付孔２ｃには、前記上部紐部材３の一端が連結され、その他端は前記頭部後方保護部材２０の両シート２０ａの間に縫製されて固定されている。上部紐部材３の一端の連結状態は、マスク本体２の背面側の内側から外側へ向けて取付孔２ｃに通され、通り抜けた部分を後側に折り返して上部紐部材３の途中部分と対向するように重ね、相互に対向する部分の内面両側に設けた面ファスナー１４の係止部と被係止部とを係止させることで行われている。
【００２５】
顎掛け紐部材６の左端６ｂは、図３に示すように、マスク本体２の背面側の内側から外側へ向けて取付孔２ｅに通され、通り抜けた部分を後側に折り返して、前記面ファスナー１３の係止部及び被係止部の一方と対向するように重ね、相互に対向する部分の内面側には、前記面ファスナー１３の係止部及び被係止部の他方が設けられ、これら面ファスナー１３の係止部と被係止部とを係止させることで、マスク本体２に連結されている。
【００２６】
前記顎掛け紐部材６の右端６ａは、図３とは左右対称にしてマスク本体２に連結されている。即ち、右端６ａは、マスク本体２の背面側の内側から外側へ向けて取付孔２ｇに通され、通り抜けた部分を後側に折り返して、前記面ファスナー１２の係止部及び被係止部の一方と対向するように重ね、相互に対向する部分の内面側には、前記面ファスナー１２の係止部及び被係止部の他方が設けられ、これら面ファスナー１２の係止部と被係止部とを係止させることで、マスク本体２に連結されている。
【００２７】
したがって、上下２本の紐４ａ、４ｂ及び顎掛け紐部材６の各両端６ａ、６ｂは、図３に示したように、マスク本体２の内側から外側へ向けて取付孔２ｅ、２ｇなどに挿入され、端部がマスク本体２の外側へ折り返されていて、マスク本体２の外側に折り返しによる凸部１５が形成されるので、防顔面１を被ってもその凸部１５が顔周辺に触れず、不快感を与えないようにすることができる。
【００２８】
この顎掛け紐部材６には、保護部材７が設けられている。保護部材７は、顎を外力から保護するためのものであり、例えば合成皮革からなり、紐部材６よりも広幅に形成されていて、長手方向の２箇所に通し孔７ａが形成されている。これら通し孔７ａに紐部材６を通すことにより、その紐部材６に沿って移動可能に取付けられている。保護部材７を移動可能としているのは、万人の顎に対して位置合わせさせ得るようにするためである。
【００２９】
したがって、このように構成された本実施形態に係る防顔面１による場合には、マスク本体２の左右に両端が連結された顎掛け紐部材６を具備するので、それを顎の下側に掛けておくことで、マスク本体２の顎部に相当する箇所に上向きの力が作用しても、マスク本体２が上方にずれるのを抑制でき、しかも外れるのを防止することができる。
【００３０】
また、面ファスナー１２及び１３の一方の係止状態を解くと、顎掛け紐部材６を緩めることができ、係止状態にすることで締めることができる。更に、防顔面１を頭部に被るとき、下側の紐４ｂにおける第１の面ファスナー１０又は１１の係止状態を解くと、下側の紐４ｂと顎掛け紐部材６とが一緒に緩められ、被り易くすることができ、更に、被った後、前記第１の面ファスナー１０又は１１を係止すると下側の紐４ｂと顎掛け紐部材６とが一緒に締まり、締め易くすることができる。
【００３１】
なお、上述した実施形態においては、上下２本の紐を有する後方紐部材を例に挙げて説明しているが、本発明はこれに限らない。後方紐部材が１本或いは３本以上の紐を有する場合にも同様に適用することができる。
【００３２】
また、上述した実施形態においては、後方紐部材の下側の紐と顎掛け紐部材の各両端を連結する取付孔を共用する形態としているが、本発明はこれに限らず、別々の取付孔に連結する構成としてもよい。
【図面の簡単な説明】
【００３３】
【図１】本考案の一実施形態に係る防顔面を斜め前方から見た斜視図である。
【図２】図１の防顔面を斜め後方から見た斜視図である（右耳保護部材及び左耳保護部材を省略して表している）。
【図３】マスク本体への後方紐部材の下側の紐と顎掛け紐部材の連結状態を示す平面図である。
【図４】右耳保護部材及び左耳保護部材の構成の説明図である。
【符号の説明】
【００３４】
１    防顔面
２    マスク本体
２ｃ、２ｄ、２ｅ、２ｆ、２ｇ    取付孔
３    上部紐部材
４    後方紐部材
４ａ、４ｂ    紐
５    頭部取付け部材
６    顎掛け紐部材
７    保護部材
１０、１１    面ファスナー（第１の面ファスナー）
１２、１３    面ファスナー（第２の面ファスナー）
【図１】
0003111813.tif 000003
【図２】
0003111813.tif 000004
【図３】
0003111813.tif 000005
【図４】
0003111813.tif 000006